(57)【要約】【課題】  液晶表示パネルとライトユニットとの位置合わせを確実に行うことができるとともに、一層の小型化を図る。【解決手段】  遮光マスク１７に、液晶表示パネル２と遮光マスク１７との位置合わせに用いられる２つのマスク側マーク２０を開口して形成し、液晶表示パネル２におけるマスク側マーク２０に対応する位置に、それぞれマスク側マーク２０の直径寸法より大きい直径寸法のパネル側マーク１０を透光可能な材料により形成し、マーク用開口２１からの光をパネル側マーク１０を介して視認し、パネル側マーク１０の中央部に前記光が照射される位置にパネル側マーク１０およびマスク側マーク２０の位置を調整することにより、液晶表示パネル２およびバックライトユニット３の位置合わせを行う。【選択図】      図２
2006235192.tif 000002
【特許請求の範囲】
【請求項１】
表示パネルおよび前記表示パネルに照射光を照射するライトユニットを有し、
前記ライトユニットには、前記表示パネルの表示領域の外周部分である非表示領域に対向して配置される遮光マスクが設けられ、
前記遮光マスクには、前記表示パネルと前記遮光マスクとの位置合わせに用いられる少なくとも２つのマスク側マークが開口して形成され、
前記表示パネルにおける前記マスク側マークに対応する位置には、それぞれパネル側マークが形成されていることを特徴とする表示装置。
【請求項２】
前記パネル側マークが、透光可能な材料により、前記マスク側マークの直径寸法以上の直径寸法によって形成されており、
前記表示パネルおよび前記ライトユニットは、前記開口からの光を前記パネル側マークを介して視認し、前記パネル側マークの中央部に前記光が照射される位置に前記パネル側マークおよび前記マスク側マークの位置を調整することにより、位置合わせされている請求項１に記載の表示装置。
【請求項３】
前記パネル側マークが、遮光可能な材料により、前記マスク側マークの直径寸法以上の直径寸法によって形成されており、
前記表示パネルおよび前記ライトユニットは、前記開口からの光が前記パネル側マークに遮光されて視認不可能な位置に前記パネル側マークおよび前記マスク側マークの位置を調整することにより、位置合わせされている請求項１に記載の表示装置。
【発明の詳細な説明】
【技術分野】
【０００１】
本発明は表示装置に係り、特に、表示パネルと、この表示パネルに照射光を照射するライトユニットとの位置合わせに好適な表示装置に関する。
【背景技術】
【０００２】
従来より、携帯電話やパーソナルコンピュータの表示手段として、例えば、一対の基板の間隙に封入された液晶を駆動させることにより所望の表示を行う液晶表示装置等の表示装置が多用されている。
【０００３】
図６は、従来の液晶表示装置の一例を示す模式的断面図であり、図６に示すように、液晶表示装置２５は、一対の基板２６を備えた液晶表示パネル２７を有している。これら両基板２６は、相互に対向する内面の周縁部に設けられたシール材により一体形成され、両基板２６およびシール材に囲まれた内部には、液晶が封入されている。
【０００４】
液晶表示パネル２７の反視認側には、液晶表示パネル２７に照射光を照射するためのバックライトユニット２９が設けられている。バックライトユニット２９には、液晶表示パネル２７において表示を行う表示領域に対向するように導光板３３が設けられており、導光板３３の側縁近傍には、照射光を照射する光源が設けられている。また、導光板３３の視認側には、液晶表示パネル２７における表示領域の外周部分である非表示領域に照射光が照射されてしまうのを防止するため、非表示領域に対向して遮光マスク３５が設けられている。
【０００５】
前記液晶表示パネル２７および前記バックライトユニット２９は、底壁３７ａおよび側壁３７ｂを有する枠体３７の内部に収納されている。側壁３７ｂは、液晶表示パネル２７およびバックライトユニット２９の各側面に対向して配置されており、枠体３７は、その内部に液晶表示パネル２７およびバックライトユニット２９が嵌合する寸法に形成されている。
【０００６】
そして、このような液晶表示装置２５においては、バックライトユニット２９を側壁３７ｂの内面に沿って枠体３７の内部に落とし込み、前記底壁３７ａ上にバックライトユニット２９を載置する。続いて、前記側壁３７ｂの内面に沿って液晶表示パネル２７を枠体３７の内部に落とし込み、バックライトユニット２９の視認側に載置することにより、液晶表示パネル２７およびバックライトユニット２９の位置合わせを行っていた。
【０００７】
ここで、近年における液晶表示パネル２７の一層の小型化の要請の観点から、枠体３７の各側壁３７ｂを除去することが望まれている。
【０００８】
しかし、従来の液晶表示パネル２７においては、側壁３７ｂの内面を基準に液晶表示パネル２７およびバックライトユニット２９の位置合わせを行っているため、枠体３７における側壁３７ｂを除去することができず、液晶表示装置２５の一層の小型化を図ることが困難であるという問題を有していた。
【０００９】
一方、枠体３７の側壁３７ｂを除去した場合、液晶表示パネル２７およびバックライトユニット２９の位置合わせを、前記枠体３７に代替する底壁３７ａおよび側壁３７ｂを有する他の治具である位置合わせ用枠体３７を用い、この位置合わせ用枠体３７の内部にバックライトユニット２９および液晶表示パネル２７を順次落とし込むことにより行うことも考えられている。
【００１０】
しかし、このような位置合わせ用枠体３７を用いる場合、液晶表示パネル２７およびバックライトユニット２９の位置合わせを行った後、位置合わせ用枠体３７の内部から液晶表示パネル２７およびバックライトユニット２９を取り出す必要がある。このため、位置合わせ用枠体３７を、その側壁３７ｂの内面と液晶表示パネル２７およびバックライトユニット２９の各側面との間に間隙が生じるように形成する必要がある。この結果、位置合わせ用枠体３７の側壁３７ｂの内面を基準に液晶表示パネル２７およびバックライトユニット２９の位置合わせを行った場合であっても、前記間隙の寸法分の位置ずれが生じ、この結果、位置合わせの精度が低下してしまうおそれがあるという問題があった。
【発明の開示】
【発明が解決しようとする課題】
【００１１】
本発明はこれらの点に鑑みてなされたものであり、表示パネルとライトユニットとの位置合わせを確実に行うことができるとともに、一層の小型化を図ることができる表示装置を提供することを目的とする。
【課題を解決するための手段】
【００１２】
前記目的を達成するため、本発明に係る表示装置の特徴は、表示パネルおよび前記表示パネルに照射光を照射するライトユニットを有し、前記ライトユニットには、前記表示パネルの表示領域の外周部分である非表示領域に対向して配置される遮光マスクが設けられ、前記遮光マスクには、前記表示パネルと前記遮光マスクとの位置合わせに用いられる少なくとも２つのマスク側マークが開口して形成され、前記表示パネルにおける前記マスク側マークに対応する位置には、それぞれパネル側マークが形成されている点にある。
【００１３】
また、前記パネル側マークが、透光可能な材料により、前記マスク側マークの直径寸法以上の直径寸法によって形成されており、前記表示パネルおよび前記ライトユニットは、前記開口からの光を前記パネル側マークを介して視認し、前記パネル側マークの中央部に前記光が照射される位置に前記パネル側マークおよび前記マスク側マークの位置を調整することにより、位置合わせされていてもよい。
【００１４】
さらに、前記パネル側マークが、遮光可能な材料により、前記マスク側マークの直径寸法以上の直径寸法によって形成されており、前記表示パネルおよび前記ライトユニットは、前記開口からの光が前記パネル側マークに遮光されて視認不可能な位置に前記パネル側マークおよび前記マスク側マークの位置を調整することにより、位置合わせされていてもよい。
【００１５】
この本発明に記載の表示装置によれば、マスク側マークのマーク用開口から照射される光を利用して、パネル側マークおよびマスク側マークの位置を調整することにより、表示パネルとライトユニットとの位置合わせを行うことができるので、表示パネルおよびライトユニットを収納する枠体の側壁を用いずに、容易に位置合わせを行うことができる。
【発明の効果】
【００１６】
以上述べたように、本発明に係る表示装置によれば、表示パネルおよびライトユニットを収納する枠体の側壁を用いることなく、表示パネルおよびライトユニットの位置合わせを行うことができるので、前記側壁を除去することができ、これにより、表示装置の一層の小型化を図ることができる。
【００１７】
また、マーク用開口からの光を利用してパネル側マークおよびマスク側マークの位置を調整することにより、位置合わせ用の他の治具を用いずに容易かつ確実に位置合わせを行うことができ、表示パネルとライトユニットとの位置合わせの精度を向上させることができる。
【発明を実施するための最良の形態】
【００１８】
以下、本発明に係る表示装置の一実施形態を図１から図５を参照して説明する。ここで、本実施形態においては、表示装置として液晶表示装置を用いて説明する。
【００１９】
図１は、本実施形態に係る液晶表示装置１を示す模式的分解斜視図であり、図１に示すように、液晶表示装置１は、表示を行う液晶表示パネル２を有し、前記液晶表示パネル２の反視認側には、液晶表示パネル２に照射光を照射するバックライトユニット３が設けられている。
【００２０】
液晶表示パネル２は、一対の透明基板５ａ、５ｂを有し、一方の透明基板５ａは、他方の透明基板５ｂと比較して平面形状が大きく形成された突出部６を有している。両透明基板５ａ、５ｂの相互に対向する内面には、それぞれＩＴＯ（Indium Tin Oxide：インジウムスズ酸化物）等からなる透明電極が設けられており、両透明電極は、突出部６に延設されて電極端子とされている。そして、両透明基板５ａ、５ｂは、両透明基板５ａ、５ｂの内面における外周縁に塗布されたシール材により一体に形成されており、両透明基板５ａ、５ｂおよびシール材に囲まれた内部には、液晶が封入されている。
【００２１】
突出部６における電極端子形成面には、液晶駆動用ＩＣチップ８が設けられており、各電極端子と液晶駆動用ＩＣチップ８の各バンプとは導電接続されている。
【００２２】
そして、液晶表示パネル２は、液晶駆動用ＩＣチップ８を介して所定の透明電極を加圧し液晶を駆動することにより、所望の表示を行うようになっている。
【００２３】
さらに、突出部６の電極形成面における両端部分には、液晶表示パネル２とバックライトユニット３との位置合わせに用いられる２つのパネル側マーク１０が形成されており、各パネル側マーク１０は、ＩＴＯ等の透光可能な材料によって円形状に形成されている。
【００２４】
また、バックライトユニット３は、液晶表示パネル２の表示領域１２における反視認面に対向するように配置された導光板１４を有しており、導光板１４の一側縁の近傍には、導光板１４の一側面に対向して並列配置され、導光板１４を介して液晶表示パネル２に照射光を照射するＬＥＤ等の複数の光源１５が設けられている。
【００２５】
導光板１４の反視認側には、導光板１４の反視認面から出射された照射光を液晶表示パネル２側に反射させるための反射板１６が設けられている。
【００２６】
導光板１４の視認側には、液晶表示パネル２の平面形状の大きさに対応する遮光マスク１７が設けられており、遮光マスク１７における液晶表示パネル２の表示領域１２に対向する位置には、表示用開口１８が形成されている。
【００２７】
遮光マスク１７における各パネル側マーク１０に対応する位置には、それぞれマスク側マーク２０が円形状に開口して設けられており、これらマスク側マーク２０は、マーク用開口２１を介して液晶表示パネル２側に照光可能に形成されている。
【００２８】
そして、両マスク側マーク２０および両パネル側マーク１０は、図２（ａ）および（ｂ）に示すように、マスク側マーク２０の直径寸法ｄ１とパネル側マーク１０の直径寸法ｄ２との関係が、ｄ１≦ｄ２となる大きさに形成されている。
【００２９】
次に、液晶表示装置１における液晶表示パネル２とバックライトユニット３との位置合わせ方法について説明する。
【００３０】
まず、遮光マスク１７を導光板１４の視認側に貼着するとともに、反射板１６を両面テープを用いて導光板１４の反視認側に貼着し、この導光板１４、遮光マスク１７および反射板１６と各光源１５とを、バックライトユニット用支持体によって一体に支持する。
【００３１】
続いて、バックライトユニット３における視認側に液晶表示パネル２を配置し、両パネル側マーク１０を介して、両マスク側マーク２０のマーク用開口２１から液晶表示パネル２側に照射される光を視認する。そして、両パネル側マーク１０の中央部にマーク用開口２１からの光が照射されるように両マスク側マーク２０と両パネル側マーク１０との位置を調整し、液晶表示パネル２と遮光マスク１７とを貼着する。これにより、液晶表示パネル２とバックライトユニット３の位置合わせを行う。
【００３２】
本実施形態によれば、両マスク側マーク２０のマーク用開口２１から照射される光を利用し、透光可能な材料からなる両パネル側マーク１０を介して前記光を視認しながら、両パネル側マーク１０の中央部に前記光が照射されるように両パネル側マーク１０および両マスク側マーク２０の位置を調整することにより、液晶表示パネル２とバックライトユニット３との位置合わせを行うことができる。
【００３３】
したがって、液晶表示パネル２およびバックライトユニット３を収納する枠体の側壁を用いることなく、液晶表示パネル２およびバックライトユニット３の位置合わせを行うことができるので、前記側壁を除去することができ、これにより、液晶表示装置１の一層の小型化を図ることができる。
【００３４】
また、透光可能な材料からなる両パネル側マーク１０を介して前記光を視認しながら両パネル側マーク１０の中央部に前記光が照射されるように両パネル側マーク１０および両マスク側マーク２０の位置を調整することにより、位置合わせ用の他の治具を用いることなく容易かつ確実に位置合わせを行うことができる。この結果、液晶表示パネル２とバックライトユニット３との位置合わせの精度を向上させることができる。
【００３５】
次に、本発明の表示装置に係る他の実施形態について説明する。
【００３６】
なお、第１実施形態と同一の構成については、同一の符号を用いて説明し、詳説を省略する。
【００３７】
図３（ａ）（ｂ）は、第２実施形態に係る液晶表示装置１のパネル側マーク１０およびマスク側マーク２０を示す模式的拡大図であり、図３（ａ）に示すように、第２実施形態におけるパネル側マーク１０は、透光可能な材料により環状に形成されている。なお、第２実施形態において、パネル側マーク１０の材料は透光可能な材料に限定されるものではない。
【００３８】
そして、マスク側マーク２０およびパネル側マーク１０は、マスク側マーク２０の直径寸法ｄ１とパネル側マーク１０の内径寸法ｄ２との関係が、ｄ１≦ｄ２となる大きさに形成されている。
【００３９】
この液晶表示装置１において、表示パネルとバックライトユニット３の位置合わせを行うには、バックライトユニット３における視認側に液晶表示パネル２を配置し、図３（ｂ）に示すように、マスク側マーク２０のマーク用開口２１から液晶表示パネル２の方向に照射される光を視認する。そして、パネル側マーク１０の内縁よりも内側、好ましくは中央部にマーク用開口２１からの光が照射されるように、マスク側マーク２０とパネル側マーク１０との位置を調整する。
【００４０】
本実施形態によれば、両マスク側マーク２０のマーク用開口２１から照射される光を視認しながら、パネル側マーク１０の内縁よりも内側に前記光が照射されるように両パネル側マーク１０および両マスク側マーク２０の位置を調整することにより、液晶表示パネル２とバックライトユニット３との位置合わせを行うことができる。
【００４１】
したがって、第２実施形態においても、液晶表示パネル２およびバックライトユニット３を収納する枠体の側壁を用いることなく、液晶表示パネル２およびバックライトユニット３の位置合わせを行うことができるので、液晶表示装置１の一層の小型化を図ることができる。
【００４２】
また、マーク用開口２１からの光がパネル側マーク１０の内縁よりも内側に前照射されるように両パネル側マーク１０および両マスク側マーク２０の位置を調整することにより、位置合わせ用の他の治具を用いることなく容易かつ確実に位置合わせを行うことができる。この結果、液晶表示パネル２とバックライトユニット３との位置合わせの精度を向上させることができる。
【００４３】
図４（ａ）（ｂ）は、第３実施形態に係る液晶表示装置１のパネル側マーク１０およびマスク側マーク２０を示す模式的拡大図であり、図４（ａ）に示すように、第３実施形態におけるパネル側マーク１０は、遮光可能な金属等の材料により円形状に形成されている。
【００４４】
そして、マスク側マーク２０およびパネル側マーク１０は、マスク側マーク２０の直径寸法ｄ１とパネル側マーク１０の内径寸法ｄ２との関係が、ｄ１≦ｄ２となる大きさに形成されている。
【００４５】
この液晶表示装置１において、表示パネルとバックライトユニット３の位置合わせを行うには、バックライトユニット３における視認側に液晶表示パネル２を配置し、図４（ｂ）に示すように、マスク側マーク２０のマーク用開口２１から液晶表示パネル２側に光を照射する。そして、パネル側マーク１０に遮光されて前記光が視認することができないように、マスク側マーク２０とパネル側マーク１０との位置を調整する。
【００４６】
本実施形態によれば、両マスク側マーク２０のマーク用開口２１から照射される光を利用し、マーク用開口２１からの光がパネル側マーク１０に遮光されて視認することができないように両パネル側マーク１０および両マスク側マーク２０の位置を調整することにより、液晶表示パネル２とバックライトユニット３との位置合わせを行うことができる。特に、遮光されているか否かで位置合わせの良否が簡便に判定されるので、位置合わせ作業の短縮化ができる。
【００４７】
したがって、第３実施形態においても、液晶表示パネル２およびバックライトユニット３を収納する枠体の側壁を用いることなく、液晶表示パネル２およびバックライトユニット３の位置合わせを行うことができるので、液晶表示装置１の一層の小型化を図ることができる。
【００４８】
また、マーク用開口２１からの光がパネル側マーク１０に遮光されて視認できないように両パネル側マーク１０および両マスク側マーク２０の位置を調整することにより、位置合わせ用の他の治具を用いることなく容易かつ確実に位置合わせを行うことができる。これにより、液晶表示パネル２とバックライトユニット３との位置合わせの精度を向上させることができる。
【００４９】
特に、本実施の形態に係る発明は、マーク用開口２１からの光がパネル側マーク１０で完全に遮光されているため、マーク用開口２１からの光による光漏れの発生を防止することができる。
【００５０】
図５（ａ）（ｂ）は、第４実施形態に係る液晶表示装置１のパネル側マーク１０およびマスク側マーク２０を示す模式的拡大図であり、図５（ａ）に示すように、第４実施形態におけるパネル側マーク１０は、遮光可能な金属等の材料により円形状に形成されている。
【００５１】
そして、マスク側マーク２０およびパネル側マーク１０は、マスク側マーク２０の直径寸法ｄ１とパネル側マーク１０の内径寸法ｄ２との関係が、ｄ１＞ｄ２となる大きさに形成されている。
【００５２】
この液晶表示装置１において、表示パネルとバックライトユニット３の位置合わせを行うには、バックライトユニット３における視認側に液晶表示パネル２を配置し、図５（ｂ）に示すように、マスク側マーク２０のマーク用開口２１から液晶表示パネル２側に光を照射する。そして、前記光がパネル側マーク１０を中央部にしてパネル側マーク１０の周縁部に均等に照射される位置において、マスク側マーク２０とパネル側マーク１０の位置合わせを行う。
【００５３】
本実施形態によれば、両マスク側マーク２０のマーク用開口２１から照射される光が、パネル側マーク１０を中央部にしてパネル側マーク１０の周縁部に均等に照射されるように両パネル側マーク１０および両マスク側マーク２０の位置を調整することにより、液晶表示パネル２とライトユニットとの位置合わせを行うことができる。
【００５４】
したがって、第４実施形態においても、液晶表示パネル２およびバックライトユニット３を収納する枠体の側壁を用いることなく、液晶表示パネル２およびバックライトユニット３の位置合わせを行うことができるので、液晶表示装置１の一層の小型化を図ることができる。
【００５５】
また、マーク用開口２１からの光がパネル側マーク１０を中央部にしてパネル側マーク１０の周縁部に均等に照射されるように両パネル側マーク１０および両マスク側マーク２０の位置を調整することにより、位置合わせ用の他の治具を用いることなく容易かつ確実に位置合わせを行うことができる。この結果、液晶表示パネル２とバックライトユニット３との位置合わせの精度を向上させることができる。
【００５６】
なお、本発明は前記実施形態に限定されるものではなく、必要に応じて種々変更することが可能である。
【００５７】
本実施形態においては、液晶表示パネル２の突出部６における電極形成面の両端部分に円形状の２つのパネル側マーク１０が設けられているとともに、遮光マスク１７に円形状の２つのマスク側マーク２０が設けられているが、パネル側マーク１０およびマスク側マーク２０の数や形状、配置位置は、本実施形態に限定されるものではない。例えば、数は、２つ以上であればよく、また形状は、三角形状、四角形状、星形状等種々の形状に形成することができ、さらに配置位置は、非表示領域１３であれば突出部６に限定されず、また電極形成面と反対側の面に形成してもよい。
【００５８】
また、ライトユニットとして液晶表示パネル２の反視認側に配置されるバックライトユニット３を用いて説明したが、これに限定されるものではない。
【００５９】
さらに、パネル側マーク１０の直径ｄ２とマスク側マーク２０の直径ｄ１との関係も、本実施形態のものに限定されない。
【図面の簡単な説明】
【００６０】
【図１】本発明に係る表示装置の一実施形態を示す模式的分解斜視図
【図２】（ａ）は、図１の表示パネルのパネル側マークと、遮光マスクのマスク側マークを拡大した模式的平面図、（ｂ）は、（ａ）のＡ−Ａにおける模式的断面図
【図３】（ａ）は、本発明に係る他の表示装置における表示パネルのパネル側マークと、遮光マスクのマスク側マークを示す模式的平面図、（ｂ）は、（ａ）のＢ−Ｂにおける模式的断面図
【図４】（ａ）は、本発明に係る他の表示装置における表示パネルのパネル側マークと、遮光マスクのマスク側マークを示す模式的平面図、（ｂ）は、（ａ）のＣ−Ｃにおける模式的断面図
【図５】（ａ）は、本発明に係る他の表示装置における表示パネルのパネル側マークと、遮光マスクのマスク側マークを示す模式的平面図、（ｂ）は、（ａ）のＤ−Ｄにおける模式的断面図
【図６】従来の表示パネルの一例を示す模式的断面図
【符号の説明】
【００６１】
１  液晶表示装置
２  液晶表示パネル
３  バックライトユニット
５ａ、５ｂ  透明基板
６  突出部
８  液晶駆動用ＩＣチップ
１０  パネル側マーク
１２  表示領域
１３  非表示領域
１４  導光板
１５  光源
１６  反射板
１７  遮光マスク
１８  表示用開口
２０  マスク側マーク
２１  マーク用開口
【図１】
2006235192.tif 000003
【図２】
2006235192.tif 000004
【図３】
2006235192.tif 000005
【図４】
2006235192.tif 000006
【図５】
2006235192.tif 000007
【図６】
2006235192.tif 000008